(57)【特許請求の範囲】
【請求項１】
粘着性及び弾性を有する合成樹脂からなり、射出成形によって製造された粘着性マットであって、
前記表面側の全面に亘って高さが同一な複数個の略半球形状または略半球形状の頂部を平坦にカットした略台形形状を有する凸部が、その凸部の外径２ｍｍ〜１０ｍｍの範囲内で、前記表面側の全面積の３０％〜８０％を占めて設けられ、前記粘着性マットの裏面側が平滑で粘着性を有することを特徴とする粘着性マット。
【発明の詳細な説明】
【技術分野】
【０００１】
本発明は、必要な部分においては高い粘着性を有し、必要な部分においては適度な低い粘着性を有し、または不要な部分においては全く粘着性を有しない粘着性マットに関するものである。
【背景技術】
【０００２】
近年の携帯電話の普及に伴って、携帯電話機を所定の場所に固定するための技術の需要が増大している。例えば、携帯電話機の販売店においては、多様な機種を有する携帯電話機を店内に見易いようにディスプレイするとともに、顧客が気に入った機種の携帯電話機を手に取って見ることができるように、取り外し自在なディスプレイ方法が要求されている。
【０００３】
そこで、特許文献１においては、プラスチック・硬質紙等に折り目を設けて、前板・底板・後ろ板を三角形に組み立て、前板に粘着剤を塗布した粘着マットを固定してなる簡易ディスプレイスタンドの考案について開示している。これによって、粘着力を有する粘着マットの表面に携帯電話機を押し付けることによって、携帯電話機を着脱可能に固定することができてディスプレイスタンドとなり、低コストの原料を使用し、組み立ても容易で、机や台の上に置いてインテリアとしても使用でき、シンプルな外観から広告やデコレーション等の目的にも使用できるとしている。
【０００４】
このような、粘着マットの粘着力を応用した物品の固定方法は、他の分野においても活用されている。例えば、特許文献２においては、自動販売機等の機器類を設置する場合に転倒を防止するための接合器具として、機器類の脚部を固定するアジャスター部と、アジャスター部を床面に固定するための両面粘着マットとを有する、機器類等の脚部と床面との接合器具の発明について開示している。これによって、従来のような固定金具を介したアンカーによる固定方法と比較して、床面に穴を開ける必要がないため余分な経費や時間を要せず、また機器類の撤去の際にも床面に開けられた穴を塞ぐ必要がないとしている。
【特許文献１】実用新案登録第３０７２３８１号公報
【特許文献２】特開平１１−１７５８３１号公報
【発明の開示】
【発明が解決しようとする課題】
【０００５】
しかしながら、上記特許文献１に記載の簡易ディスプレイスタンドの考案においては、粘着マットとして適量の滑り止め液と接着剤を配合した軟らかいプラスチックを使用するとしているが、かかる粘着マットは粘着力が強力なため、一般に平滑な背面を有する携帯電話機に密着して、スムーズに取外すことができず、極端な場合には粘着マットが携帯電話機とともに前板から剥がれてしまう恐れすらもある。
【０００６】
更に、ユーザー用の携帯電話機ホルダーとして使用する際には、携帯電話機を使用しようとする場合や、電話が掛かってきた場合においても、スムーズに取外せずに不便を感ずることとなり、更には強力な粘着剤によって携帯電話機の背面に埃等が付着し易くなって、携帯電話機が汚れてしまうという問題点があった。
【０００７】
また、上記特許文献２に記載の技術を家庭電化製品、例えば液晶テレビの固定に応用した場合には、やはり両面粘着マットの粘着力が強力過ぎるために、液晶テレビの脚部裏面に両面粘着マットを接着してテレビ台の上に置いた場合には、安定性には優れるものの、液晶テレビを少しでも移動させようとすると、テレビ台の上面に密着した両面粘着マットによって、木製のテレビ台の場合には表面の木材の層が剥がれ、塗装が施されたテレビ台の場合には塗装が剥がれてしまうという問題点があった。
【０００８】
そこで、本発明においては、携帯電話機や液晶テレビ等を任意の場所に確実に固定できるとともに、取り外しや移動を容易に行うことができ、極めて安価に、かつ、容易に製造することができる粘着性マットを提供することを課題とするものである。
【課題を解決するための手段】
【０００９】
請求項１の発明に係る粘着性マットは、粘着性及び弾性を有する合成樹脂からなり、射出成形によって製造された粘着性マットであって、前記表面側の全面に亘って高さのほぼ同一な複数個の凸部が設けられたものである。
【００１０】
ここで、「粘着性及び弾性を有する合成樹脂」としては、スチレン系熱可塑性エラストマー、ウレタン系熱可塑性エラストマー、等を用いることができる。また、「複数個の凸部」の形状としては、円柱形、半球形、三角柱形、四角柱形、円錐台形等の様々な形状を採用することができる。更に、「複数個の凸部」は、高さがほぼ同一でさえあれば、形状や大きさがそれぞれ異なっていても構わない。
【００１１】
また、前記粘着性マットの裏面側が平滑で前記裏面側も粘着性を有する合成樹脂からなるものである。この場合には、表面側と裏面側に同一の粘着性及び弾性を有する合成樹脂を使用する場合には、一体に射出成形することができる。
【００１２】
そして、前記複数個の凸部は、前記表面側の全面積の３０％〜８０％を占めるものであり、また、前記複数個の凸部は略半球形状または略半球形状の頂部を平坦にカットした略台形形状を有するものである。更に、前記複数個の凸部の外径は２ｍｍ〜１０ｍｍの範囲内としたものである。
【発明の効果】
【００１３】
請求項１の発明に係る粘着性マットは、表面側が粘着性及び弾性を有する合成樹脂からなり、射出成形によって製造された粘着性マットであって、表面側の全面に亘って高さのほぼ同一な複数個の凸部が設けられたものである。
【００１４】
ここで、「粘着性及び弾性を有する合成樹脂」としては、スチレン系熱可塑性エラストマー、ウレタン系熱可塑性エラストマー、等を用いることができる。また、「複数個の凸部」の形状としては、円柱形、半球形、三角柱形、四角柱形、円錐台形等の様々な形状を採用することができる。更に、「複数個の凸部」は、高さがほぼ同一でさえあれば、形状や大きさがそれぞれ異なっていても構わない。
【００１５】
かかる構成によって、粘着性マットの裏面を任意の場所に、両面テープや接着剤等で固定しておき、表面に携帯電話機を置くことによって、携帯電話機の背面が粘着性及び弾性を有する合成樹脂からなり、高さのほぼ同一な複数個の凸部の全体に亘って粘着して、少しの力が加わった程度ではずれることがない。したがって、例えば、自動車の車内に本発明の粘着性マットを設置することによって、自動車の走行中の揺れやショック等では全くずれることなく固定しておくことができる。
【００１６】
そして、複数個の凸部が設けられていることによって、粘着性マットの表面の粘着力が適度に低下しているため、必要な場合には携帯電話機を粘着性マットの表面から容易に、かつ、スムーズに取外すことができる。そして、携帯電話機の背面が汚れる恐れもない。更に、射出成形によって製造されるため、極めて安価に大量生産することができる。
【００１７】
また、粘着性マットの裏面を液晶テレビ等の脚部の裏面に固定して、複数個の凸部が設けられている表面を下にしてテレビ台等に載置することによって、粘着性マットの表面の適度な粘着力によって液晶テレビ等の転倒が確実に防止され、しかも粘着性マットの表面がテレビ台等の上面に必要以上に密着しないため、液晶テレビ等を移動させる場合にも、テレビ台等の上面を傷めることが全くなく、スムーズに移動させることができる。
【００１８】
このようにして、携帯電話機や液晶テレビ等を任意の場所に確実に固定できるとともに、取り外しや移動を容易に行うことができ、極めて安価に、かつ、容易に製造することができる粘着性マットとなる。
【００１９】
また、粘着性マットの裏面側が平滑で裏面側も粘着性を有する合成樹脂からなる。この場合には、表面側と裏面側に同一の粘着性及び弾性を有する合成樹脂を使用する場合には、一体に射出成形することができる。
【００２０】
これによって、粘着性マットの裏面側を粘着力で貼り付けることによって、粘着性マットを任意の場所に設置することができる。例えば、車内に設置する場合には、ダッシュボード等の表面に粘着性マットの裏面側を押し付けて貼り付ければ良く、室内で用いる場合には、机等の平坦な表面に貼り付ければ良い。また、携帯電話機の販売店においては、プラスチック等からなる三角形の台に貼り付けるだけで、ディスプレイスタンドとなる。
【００２１】
更に、液晶テレビ等の転倒防止に用いる場合には、液晶テレビ等の脚部の裏面に、粘着性マットの裏面側を貼り付ければ良い。そして、繰り返し使用して埃等が付着して、表面側の粘着力が低下してきた場合には、粘着性マットの裏面側を剥がして取り外し、水洗いして乾燥することによって、元の粘着力が復元して再び使用することができる。
【００２２】
このようにして、携帯電話機や液晶テレビ等を任意の場所に確実に固定できるとともに、取り外しや移動を容易に行うことができ、極めて安価に、かつ、容易に製造することができる粘着性マットとなる。
【００２３】
本発明に係る粘着性マットの用途としては、例えばパソコン用のマウスパッドがある。すなわち、裏面側に粘着性を有しない、滑り性の優れた合成樹脂を用いることによって、裏面側を上にしてデスクに載置すれば、マウスを移動させても下面の表面側の粘着力によって、粘着性マットがずれることがなく、上面は滑り性の優れた合成樹脂によって平滑に成形されているためマウスの移動も極めてスムーズにでき、高品質のマウスパッドとなる。
【００２４】
このようにして、任意の場所に確実に固定できるとともに、取り外しや移動を容易に行うことができ、極めて安価に、かつ、容易に製造することができる粘着性マットとなる。
【００２５】
更に、複数個の凸部は表面側の全面積の３０％〜８０％、より好ましくは全面積の５０％〜７０％を占める。
本発明者は、鋭意実験研究を重ねた結果、複数個の凸部の面積が表面側の全面積の３０％〜８０％を占める場合に、より優れた粘着性マットとなることを見出し、この知見に基づいて本発明を完成したものである。
【００２６】
すなわち、複数個の凸部の面積が表面側の全面積の３０％未満であると、表面側の粘着力が低過ぎて、携帯電話機のホルダー等に使用した場合、設置場所の傾斜が急であったりすると、振動等でずれる恐れがあり、一方、複数個の凸部の面積が表面側の全面積の８０％を超えると、表面側の粘着力が大き過ぎて、携帯電話機のホルダー等に使用した場合、取り外しがスムーズに行かない場合が起こる恐れがある。したがって、複数個の凸部の面積は、表面側の全面積の３０％〜８０％の範囲内であることが好ましい。
【００２７】
更に、複数個の凸部の面積が、表面側の全面積の５０％〜７０％の範囲内であると、携帯電話機のホルダー等に使用した場合、設置場所の傾斜が急であっても振動等でずれる恐れが全くなく、また取り外しも確実にスムーズにできるため、より好ましい。
【００２８】
このようにして、携帯電話機や液晶テレビ等を任意の場所に確実に固定できるとともに、取り外しや移動を容易に行うことができ、極めて安価に、かつ、容易に製造することができる粘着性マットとなる。
【００２９】
更にまた、複数個の凸部は略半球形状または略半球形状の頂部を平坦にカットした略台形形状を有する。
複数個の凸部を略半球形状とした場合には、粘着性マットの表面側に接着させる面（携帯電話機の背面、液晶テレビ等の脚部が載置されるテレビ台の上面、等）に対する接触面積が小さくなるため、取り外しや移動がより容易になり、一方、複数個の凸部を略半球形状の頂部を平坦にカットした略台形形状とした場合には、接触面積が大きくなるため密着力が大きくなる。
【００３０】
したがって、粘着性マットの用途や粘着性マットの表面側に使用される合成樹脂の粘着力に応じて、複数個の凸部を略半球形状または略台形形状とすることによって、粘着性マットの表面側の粘着性をより適切に調節することができる。そして、凸部を略半球形状または略半球形状の頂部を平坦にカットした略台形形状とすることによって、射出成形用の金型の製作も容易になり、射出成形時における型離れ性も向上するため、製造もより容易になる。
【００３１】
このようにして、携帯電話機や液晶テレビ等を任意の場所に確実に固定できるとともに、取り外しや移動を容易に行うことができ、極めて安価に、かつ、容易に製造することができる粘着性マットとなる。
【００３２】
加えて、複数個の凸部の外径は２ｍｍ〜１０ｍｍの範囲内、より好ましくは３ｍｍ〜７ｍｍの範囲内である。
本発明者は、鋭意実験研究を重ねた結果、複数個の凸部が略半球形状または略半球形状の頂部を平坦にカットした略台形形状を有する場合において、複数個の凸部の外径が２ｍｍ〜１０ｍｍの範囲内である場合に、より優れた粘着性マットとなることを見出し、この知見に基づいて本発明を完成したものである。
【００３３】
すなわち、複数個の凸部の外径が２ｍｍ未満であると、複数個の凸部を表面側に密に設けた場合には接触面積が大きくなり過ぎてスムーズな取り外しや移動等がし難くなる恐れがあり、複数個の凸部の外径が５ｍｍ程度以上の凸部の中に複数個の凸部の外径が２ｍｍ未満のものを混在させた場合には、高さをほぼ同一にすることが困難となって、固定に関与しない無駄な部分となってしまう恐れがある。
【００３４】
一方、複数個の凸部の外径が１０ｍｍを超えると、複数個の凸部を表面側に密に設けることが困難になるため、接触面積が小さくなってしまい、必要な適度な粘着力が得られない可能性がある。したがって、複数個の凸部の外径は２ｍｍ〜１０ｍｍの範囲内であることが好ましい。
【００３５】
更に、複数個の凸部の外径が３ｍｍ〜７ｍｍの範囲内である場合には、接触面積が大きくなり過ぎたり小さくなり過ぎたりする恐れが全くなく、適度な粘着力を確保することができる。そして、複数個の凸部の外径が６ｍｍ〜７ｍｍのものの間に、複数個の凸部の外径が３ｍｍ〜４ｍｍのものや、４ｍｍ〜５ｍｍのものを混在させることによって、複数個の凸部を表面側に密に設けることができ、適度な粘着力をより確実に得ることができるため、より好ましい。
【００３６】
このようにして、表面側に適度な粘着力を確保することによって、携帯電話機や液晶テレビ等を任意の場所に確実に固定できるとともに、取り外しや移動を容易に行うことができ、極めて安価に、かつ、容易に製造することができる粘着性マットとなる。
【発明を実施するための最良の形態】
【００３７】
以下、本発明に係る粘着性マットの実施の形態について、図面を参照しつつ説明する。なお、実施の形態２以降において、実施の形態１の部分と同一の記号及び同一の符号は、実施の形態１と同一または相当する機能部分を意味し、実施の形態相互の同一の記号及び同一の符号は、それら実施の形態に共通する機能部分であるから、ここでは重複する詳細な説明を省略する。
【００３８】
実施の形態１
まず、本発明の実施の形態１に係る粘着性マットについて、図１乃至図４を参照して説明する。
【００３９】
図１（ａ）は本発明の実施の形態１に係る粘着性マットの全体構成を示す平面図、（ｂ）は（ａ）のＡ−Ａ断面図、（ｃ）は全体構成を示す斜視図である。図２（ａ）は本発明の実施の形態１の変形例に係る粘着性マットの全体構成を示す平面図、（ｂ）は（ａ）のＢ−Ｂ断面図、（ｃ）は全体構成を示す斜視図である。
【００４０】
図３（ａ）は本発明の実施の形態１に係る粘着性マットを用いて自動車のダッシュボードに携帯電話機を固定した状態を示す斜視図、（ｂ）はその状態を横から見て示す側面図である。図４（ａ）は本発明の実施の形態１の変形例に係る粘着性マットを用いたディスプレイスタンドに携帯電話機を固定した状態を示す斜視図、（ｂ）はその状態を横から見て示す側面図、（ｃ）は携帯電話機を外したディスプレイスタンドの全体構成を示す斜視図である。
【００４１】
図１（ａ）に示されるように、本実施の形態１に係る粘着性マット１は、「粘着性及び弾性を有する合成樹脂」としてのスチレン系熱可塑性エラストマーを、射出成形で一体成形してなる、色付き半透明の柔軟なゴム状マットである。色は、水色・黄色・赤色・青色・レモン色・紫色等、自由に着色することができ、ユーザーの好みに合わせて選択することができる。また、無色（白色）半透明にすることもできる。
【００４２】
図１（ａ），（ｃ）に示されるように、粘着性マット１の表面２には、複数個の凸部としての略半球形状の種々の大きさの凸部３が設けられており、凸部３の外径は小さいものは３ｍｍから、大きいものは７ｍｍまで様々である。また、複数個の凸部３の面積は表面２側の全面積の約７０％を占めている。更に、図１（ｂ）に示されるように、粘着性マット１の裏面５は、平滑な面となっている。
【００４３】
したがって、本実施の形態１に係る粘着性マット１は、特許請求の範囲の請求項１，請求項２，請求項４，請求項５及び請求項６の発明に係る粘着性マットに該当する。よって、粘着性マット１は、請求項１，２及び請求項４乃至請求項６に係る発明の作用効果を奏する。
【００４４】
なお、粘着性マット１全体の大きさは７ｃｍ×４．５ｃｍで、厚さは凸部３の頂点から裏面５までで、３．８ｍｍである。また、粘着性マット１の表面２には、粘着面としての複数個の凸部３以外に、商品名等を印刷したラベルを貼り付けるためのラベル面４が設けられている。
【００４５】
また、図２（ａ）に示されるように、本実施の形態１の変形例に係る粘着性マット１Ａは、「粘着性及び弾性を有する合成樹脂」としてのスチレン系熱可塑性エラストマーを、射出成形で一体成形してなる、色付き半透明の柔軟なゴム状マットである。色は、水色・黄色・赤色・青色・レモン色・紫色等、自由に着色することができ、ユーザーの好みに合わせて選択することができる。また、無色（白色）半透明にすることもできる。
【００４６】
図２（ａ），（ｃ）に示されるように、粘着性マット１Ａの表面２Ａには、複数個の凸部としての略半球形状の頂部を平坦にカットした略台形形状の種々の大きさの凸部３Ａが設けられており、凸部３Ａの外径は小さいものは３ｍｍから、大きいものは７ｍｍまで様々である。また、複数個の凸部３Ａの面積は表面２Ａ側の全面積の約７０％を占めている。更に、図２（ｂ）に示されるように、粘着性マット１Ａの裏面５は、平滑な面となっている。
【００４７】
したがって、本実施の形態１の変形例に係る粘着性マット１Ａは、特許請求の範囲の請求項１，請求項２，請求項４，請求項５及び請求項６の発明に係る粘着性マットに該当する。よって、粘着性マット１Ａは、請求項１，２及び請求項４乃至請求項６に係る発明の作用効果を奏する。
【００４８】
なお、粘着性マット１Ａ全体の大きさは７ｃｍ×４．５ｃｍで、厚さは凸部３Ａの頂点から裏面５までで、３．６ｍｍである。また、粘着性マット１Ａの表面２Ａには、粘着面としての複数個の凸部３Ａ以外に、商品名等を印刷したラベルを貼り付けるためのラベル面４が設けられている。
【００４９】
これらの本実施の形態１に係る粘着性マット１、及び本実施の形態１の変形例に係る粘着性マット１Ａを、自動車の車内における携帯電話機ホルダーとして応用した場合について、図３を参照して説明する。図３（ａ）に示されるように、本実施の形態１に係る粘着性マット１の裏面５を自動車のダッシュボード６に貼り付けることによって、粘着性マット１の表面２に携帯電話機７を置くだけで、自動車の走行中の揺れやショック等では全くずれることなく固定しておくことができる。
【００５０】
そして、図３（ｂ）に示されるように、複数個の凸部３が設けられていることによって、粘着性マット１の表面２の粘着力が適度に低下しているため、必要な場合には携帯電話機７を粘着性マット１の表面２から容易に、かつ、スムーズに取外すことができる。また、携帯電話機７の背面が汚れる恐れもない。更に、粘着性マット１は、射出成形によって製造されるため、極めて安価に大量生産することができる。
【００５１】
また、図３（ａ），（ｂ）に示されるように、一般に自動車のダッシュボード６の表面は水平ではなく傾斜しており、更に表面に微小な凹凸が施されている場合が多いが、上述の如く、粘着性マット１の裏面５は平滑であって粘着性が大きいため、微小な凹凸を有するダッシュボード６の表面にも密着して、容易に剥がれないように固定される。そして、粘着性マット１の表面２の粘着力も適度に維持されているため、図３（ｂ）に示されるように、携帯電話機７を置く表面２が傾斜していても、携帯電話機７がずれることはない。
【００５２】
更に、粘着性マット１は、ダッシュボード６の表面から剥がすことができるため、長期間の使用によって粘着性マット１の表面２に埃等が付着して、粘着性マット１の表面２の粘着性が低下した場合には、粘着性マット１をダッシュボード６から剥がして、表面２を水洗いして埃等を除去し、自然乾燥することによって、元の粘着性が復元して再び使用することができる。
【００５３】
なお、粘着性マット１を車内における携帯電話機ホルダーとして使用する場合には、走行時に揺れやショック等を受けることを考慮すると、ダッシュボード６の表面に接着したときに粘着性マット１の表面２の傾斜が４５度以下になるように、粘着性マット１を貼り付けるダッシュボード６の位置を選択することが好ましい。また、粘着性マット１の表面２には、携帯電話機７だけでなく、ボールペンやシャープペンシル、眼鏡等を置くこともできる。
【００５４】
以上説明した本実施の形態１に係る粘着性マット１による作用効果は、本実施の形態１の変形例に係る粘着性マット１Ａにおいても同様に得ることができる。したがって、本実施の形態１の変形例に係る粘着性マット１Ａも、同様に車内における携帯電話機ホルダーとして使用することができる。
【００５５】
このようにして、本実施の形態１に係る粘着性マット１，１Ａにおいては、携帯電話機等を任意の場所に確実に固定できるとともに、必要な場合には取り外しを容易に行うことができ、汚れても簡単に水洗いすることができ、極めて安価に、かつ、容易に製造することができる。
【００５６】
次に、本実施の形態１に係る粘着性マット１、及び本実施の形態１の変形例に係る粘着性マット１Ａを、携帯電話販売店の店内における携帯電話機のディスプレイスタンドとして応用した場合について、図４を参照して説明する。
【００５７】
図４（ａ）に示されるように、本実施の形態１の変形例に係る粘着性マット１Ａの裏面５を、プラスチック製等の三角形のスタンド９の前面に貼り付けて、粘着性マット１Ａの表面２Ａに携帯電話機７を載せるだけで、携帯電話機７を安定して固定し、陳列することができる。そして、顧客等が気に入った携帯電話機７を手に取って良く見たい場合には、粘着性マット１Ａの表面２Ａに複数個の凸部３Ａが設けられていることによって、表面２Ａの粘着力が適度に低下しているため、極めてスムーズに取外すことができる。
【００５８】
図４（ｂ）に示されるように、携帯電話機７のディスプレイスタンド８として使用する場合には、粘着性マット１Ａの傾斜が５０度〜７０度になるが、自動車の車内で使用する場合と異なり、揺れやショックを受けることがないので、５０度〜７０度の傾斜でも、粘着性マット１Ａの表面２Ａにおいて携帯電話機７がずれる恐れはない。
【００５９】
また、図４（ｃ）に示されるように、携帯電話機７を取外した状態において、粘着性マット１Ａのラベル面４に、携帯電話機７の機種名等を印刷したラベル４Ａを貼り付けておくことによって、複数の携帯電話機７を同時に取外した場合でも、それぞれの携帯電話機７を確実に元のディスプレイスタンド８に戻すことができる。
【００６０】
そして、長期間の使用によって、粘着性マット１Ａの表面２Ａに埃等が付着して、粘着性マット１Ａの表面２Ａの粘着性が低下した場合には、粘着性マット１Ａをスタンド９の前面から剥がして、またラベル４Ａもラベル面４から剥がして、表面２Ａを水洗いして埃等を除去し、自然乾燥することによって、元の粘着性が復元して再び使用することができる。
【００６１】
以上説明した本実施の形態１の変形例に係る粘着性マット１Ａによる作用効果は、本実施の形態１に係る粘着性マット１においても同様に得ることができる。したがって、本実施の形態１に係る粘着性マット１も、同様にプラスチック製等の三角形のスタンド９の前面に貼り付けることによって、携帯電話販売店の店内における携帯電話機のディスプレイスタンドとして使用することができる。
【００６２】
このようにして、本実施の形態１に係る粘着性マット１，１Ａを用いた携帯電話機のディスプレイスタンドにおいては、携帯電話機を確実に固定してディスプレイできるとともに、必要な場合には取り外しを容易に行うことができ、汚れても簡単に水洗いすることができ、極めて安価に、かつ、容易に製造することができる。
【００６３】
実施の形態２
次に、本発明の実施の形態２に係る粘着性マットについて、図５乃至図７を参照して説明する。
【００６４】
図５（ａ）は本発明の実施の形態２に係る粘着性マットの全体構成を示す平面図、（ｂ）は（ａ）のＣ−Ｃ断面図である。図６（ａ）は本発明の実施の形態２の変形例に係る粘着性マットの全体構成を示す平面図、（ｂ）は（ａ）のＤ−Ｄ断面図である。図７（ａ）は本発明の実施の形態２に係る粘着性マットを液晶テレビの固定用に使用した状態を示す斜視図、（ｂ）は粘着性マットの使用状態を示す拡大図である。
【００６５】
図５（ａ）に示されるように、本実施の形態２に係る粘着性マット１１は、上記実施の形態１に係る粘着性マット１，１Ａと同様に、「粘着性及び弾性を有する合成樹脂」としてのスチレン系熱可塑性エラストマーを、射出成形で一体成形してなる、色付き半透明の柔軟なゴム状マットである。色は、水色・黄色・赤色・青色・レモン色・紫色等、自由に着色することができ、ユーザーの好みに合わせて選択することができる。また、目立たないように、黒色や無色（白色）半透明にすることもできる。
【００６６】
図５（ａ）に示されるように、粘着性マット１１の表面１２には、複数個の凸部としての略半球形状の種々の大きさの凸部１３が設けられており、凸部１３の外径は小さいものは３ｍｍから、大きいものは７ｍｍまで様々である。また、複数個の凸部１３の面積は表面２側の全面積の約６０％を占めている。更に、図５（ｂ）に示されるように、粘着性マット１１の裏面１５は、平滑な面となっている。
【００６７】
したがって、本実施の形態２に係る粘着性マット１１は、特許請求の範囲の請求項１，請求項２，請求項４，請求項５及び請求項６の発明に係る粘着性マットに該当する。よって、粘着性マット１１は、請求項１，２及び請求項４乃至請求項６に係る発明の作用効果を奏する。なお、粘着性マット１１全体の大きさは４ｃｍ×４ｃｍで、厚さは、凸部１３の頂点から裏面１５までで４ｍｍである。
【００６８】
また、図６（ａ）に示されるように、本実施の形態２の変形例に係る粘着性マット１１Ａは、「粘着性及び弾性を有する合成樹脂」としてのスチレン系熱可塑性エラストマーを、射出成形で一体成形してなる、色付き半透明の円形の柔軟なゴム状マットである。色は、水色・黄色・赤色・青色・レモン色・紫色等、自由に着色することができ、ユーザーの好みに合わせて選択することができる。また、無色（白色）半透明にすることもできる。
【００６９】
図６（ａ）に示されるように、粘着性マット１１Ａの表面１２Ａには、複数個の凸部としての略半球形状の頂部を平坦にカットした略台形形状の種々の大きさの凸部１３Ａが設けられており、凸部１３Ａの外径は小さいものは３ｍｍから、大きいものは７ｍｍまで様々である。また、複数個の凸部１３Ａの面積は表面１２Ａ側の全面積の約６０％を占めている。更に、図６（ｂ）に示されるように、粘着性マット１１Ａの裏面１５Ａは、平滑な面となっている。
【００７０】
したがって、本実施の形態２の変形例に係る粘着性マット１１Ａは、特許請求の範囲の請求項１，請求項２，請求項４，請求項５及び請求項６の発明に係る粘着性マットに該当する。よって、粘着性マット１１Ａは、請求項１，２及び請求項４乃至請求項６に係る発明の作用効果を奏する。なお、粘着性マット１１Ａの直径は４ｃｍで、厚さは、凸部１３Ａの頂点から裏面１５Ａまでで４ｍｍである。
【００７１】
これらの本実施の形態２に係る粘着性マット１１、及び本実施の形態２の変形例に係る粘着性マット１１Ａを、液晶テレビをテレビ台の上に載置する場合の緩衝材及び転倒防止材として使用した場合について、図７を参照して説明する。
【００７２】
図７（ａ）に示されるように、液晶テレビ１６等のディスプレイ装置は、ユーザーが見易く目が疲れない高さにセットするために、テレビ台１８等の上に載置される場合が殆どである。このとき、液晶テレビ１６の金属製の脚部１７の裏側に、本実施の形態２に係る粘着性マット１１が貼り付けられて、緩衝材及び転倒防止材として使用される。
【００７３】
より詳しくは、図７（ｂ）に示されるように、本実施の形態２に係る粘着性マット１１の裏面１５を上に向けて脚部１７の裏側に貼り付け、表面１２の凸部１３がテレビ台１８の表面に接するようにして、液晶テレビ１６をテレビ台１８の上に載置する。これによって、金属製の脚部１７の裏側が直接テレビ台１８の表面に接することによって、テレビ台１８の表面が傷付けられるのを防止することができる。
【００７４】
ここで、図７（ａ）に示されるように、脚部１７の５ヵ所に貼り付けられた粘着性マット１１の表面１２の凸部１３は、液晶テレビ１６の重量によってテレビ台１８の表面に押し付けられる。しかしながら、粘着性マット１１の表面１２は、複数個の凸部１３が設けられることによって、平滑な面を有する裏面１５よりも粘着力が低下して、地震等によって液晶テレビ１６が揺れても液晶テレビ１６の転倒を防止できるだけの、適度な粘着性を有している。
【００７５】
そして、平滑な面を有する裏面１５のような強力な粘着性は有していないため、液晶テレビ１６を長期間テレビ台１８の上に載置して、液晶テレビ１６を移動させようとする際にも、適度な粘着性を有する粘着性マット１１の表面１２は、スムーズにテレビ台１８の表面から離れる。
【００７６】
したがって、表裏とも平滑な面を有する粘着性マットを使用した場合のように、粘着性マットが過度にテレビ台１８の表面に密着してしまい、剥がそうとすると木製のテレビ台の場合には表面の木材の層が一緒に剥がれてしまい、塗装が施されたテレビ台の場合には塗装が一緒に剥がれてしまうというような事態が生ずる恐れが全くない。
【００７７】
そして、粘着性マット１１は、「粘着性及び弾性を有する合成樹脂」としてのスチレン系熱可塑性エラストマーからなるため、長期間液晶テレビ１６の重量で圧縮されていても、液晶テレビ１６の重みが取り除かれるとともに強力な弾性で元の形状及び厚さに復元して、何回でも使用することができる。
【００７８】
また、粘着性マット１１の表面１２に埃等が付着して、適度な粘着性が得られなくなった場合には、粘着性マット１１を脚部１７の５ヵ所から剥がし、水洗いして埃等を除去して自然乾燥することによって、適度な粘着性を取り戻し、何回でも繰り返し使用することができる。
【００７９】
以上説明した本実施の形態２に係る粘着性マット１１による作用効果は、本実施の形態２の変形例に係る粘着性マット１１Ａにおいても、同様に得ることができる。したがって、本実施の形態       ２の変形例に係る粘着性マット１１Ａも、同様に、液晶テレビ１６の金属製の脚部１７の裏側の数箇所に貼り付けることによって、緩衝材及び転倒防止材として使用することができる。
【００８０】
このようにして、本実施の形態２に係る粘着性マット１１，１１Ａにおいては、液晶テレビ等の家庭電化製品を任意の場所に確実に固定できるとともに、テレビ台等の表面を傷付ける恐れが全くなく、必要な場合には取り外しを容易に行うことができ、汚れても簡単に水洗いすることができ、極めて安価に、かつ、容易に製造することができる。
【００８１】
実施の形態３
次に、本発明の実施の形態３に係る粘着性マットについて、図８を参照して説明する。図８（ａ）は本発明の実施の形態３に係る粘着性マットの全体構成を示す斜視図、（ｂ）は（ａ）のＥ−Ｅ断面図、（ｃ）は本発明の実施の形態３に係る粘着性マットの使用状態を示す斜視図である。
【００８２】
図８（ａ）に示されるように、本実施の形態３に係る粘着性マット２１は、表面２２側に「粘着性及び弾性を有する合成樹脂」としてのスチレン系熱可塑性エラストマーを、裏面側２４に「粘着性を有しない合成樹脂」としてのシリコーン樹脂を用いて、二色成形法を用いて射出成形によって製造された、表面２２側が半透明で裏面２５側が不透明の樹脂製マットであり、マウスパッドとして用いられるものである。
【００８３】
図８（ａ），（ｂ）に示されるように、粘着性マット２１の表面２２には、複数個の凸部としての略半球形状の種々の大きさの凸部２３が設けられており、凸部２３の外径は小さいものは２ｍｍから、大きいものは８ｍｍまで様々である。また、複数個の凸部２３の面積は表面２２側の全面積の約８０％を占めている。更に、図８（ｂ），（ｃ）に示されるように、粘着性マット２１の裏面２５は平滑な面となっており、裏面２５側は粘着性を有しない合成樹脂からなっている。
【００８４】
したがって、本実施の形態３に係る粘着性マット２１は、特許請求の範囲の請求項１，請求項３，請求項４，請求項５及び請求項６の発明に係る粘着性マットに該当する。よって、粘着性マット２１は、請求項１及び請求項３乃至請求項６に係る発明の作用効果を奏する。なお、粘着性マット２１全体の大きさは２２ｃｍ×２５ｃｍで、厚さは、凸部２３の頂点から裏面２５までで６ｍｍである。
【００８５】
本実施の形態３に係る粘着性マット２１を、パソコン用のマウスパッドとして用いた場合について、図８（ｃ）を参照して説明する。図８（ｃ）に示されるように、本実施の形態３に係る粘着性マット２１を、表面２２を下にしてデスク上に置き、裏面２５の上にマウス２６を載せて操作する。マウス２６は、ボール式マウスでも、光学式マウスでも構わない。
【００８６】
これによって、「粘着性及び弾性を有する合成樹脂」としてのスチレン系熱可塑性エラストマーからなる表面２２側がデスクの表面と接触するため、マウス２６をいかに素早く動かしてもマウスパッドとしての粘着性マット２１がずれることがなく、しかも表面２２側には複数個の凸部２３が設けられているため、粘着性が適度に低下しており、粘着性マット２１がデスク表面に貼り付いてしまうことがなく、自由に移動させることができる。
【００８７】
一方、裏面側２４は「粘着性を有しない合成樹脂」としてのシリコーン樹脂からなるため、裏面２５におけるマウス２６の移動が極めてスムーズに行うことができ、使い易いマウスパッドとなる。そして、射出成形によって大量生産されるため、低コストで供給することができる。
【００８８】
このようにして、本実施の形態３に係る粘着性マット２１においては、マウスパッドとして任意の場所に確実に固定でき、容易にずれないようにできるとともに、マウスの操作がスムーズに行え、必要な場合には移動を容易に行うことができ、汚れても簡単に水洗いすることができ、極めて安価に、かつ、容易に製造することができる。
【００８９】
実施の形態４
次に、本発明の実施の形態４に係る粘着性吸盤付き支持具について、図９を参照して説明する。図９（ａ）は本発明の実施の形態４に係る粘着性吸盤付き支持具の全体構成を示す斜視図、（ｂ）は（ａ）のＦ−Ｆ断面図、（ｃ）は本発明の実施の形態４に係る粘着性吸盤付き支持具の使用状態を示す斜視図である。
【００９０】
図９（ａ），（ｂ）に示されるように、本実施の形態４に係る粘着性吸盤付き支持具３１は、「剛性を有する合成樹脂」としてのＡＢＳ（アクリロニトリル・ブタジエン・スチレン共重合体）樹脂からなる吸盤３３の内部３３Ａ及び吸盤以外の部分（支持部分）３２と、「粘着性及び弾性を有する合成樹脂」としてのスチレン系熱可塑性エラストマーからなる吸盤３３の吸着面側３３Ｂから構成され、二色成形法を用いて射出成形によって製造されたものである。ここで、ＡＢＳ樹脂は、熱可塑性樹脂である。
【００９１】
したがって、本実施の形態４に係る粘着性吸盤付き支持具３１は、特許請求の範囲の請求項７及び請求項８の発明に係る粘着性吸盤付き支持具に該当する。よって、粘着性吸盤付き支持具３１は、請求項７及び請求項８に係る発明の作用効果を奏する。
【００９２】
本実施の形態４に係る粘着性吸盤付き支持具３１を、ＧＰＳ車載レーダー用の支持具として用いた場合について、図９（ｃ）を参照して説明する。図９（ｃ）に示されるように、ＧＰＳ車載レーダー３５を、粘着性吸盤付き支持具３１の支持部分３２にしっかり嵌め込んで固定し、粘着性吸盤付き支持具３１の吸盤３３を固定部分（例えば、自動車のダッシュボード）に押し付ける。
【００９３】
これによって、吸盤３３の内部３３Ａは「剛性を有する合成樹脂」としてのＡＢＳ樹脂からなるため、押し付け力に応じて吸盤３３が大きく開き、固定部分にしっかり吸着される。そして、一旦吸着したら、吸盤３３の吸着面３３Ｂが粘着性及び弾性を有する合成樹脂としてのスチレン系熱可塑性エラストマーからなるため、大きな吸着力を発揮して容易に外れることがない。
【００９４】
また、本実施の形態４に係る粘着性吸盤付き支持具３１によって、太陽電池で作動するセンサー等を支持する場合には、車内に取り付けたままでは充電ができないので、吸盤３３を外して車外に持ち出し、屋外の太陽光で充分に充電して、また車内に取り付けて使用することができる。更に、吸盤３３の吸着力が低下してきた場合には、吸盤３３の吸着面３３Ｂを水洗いして埃等をよく落とし、自然乾燥させることによって、また元の吸着力が復元して、何度でも繰り返し使用することができる。
【００９５】
このように、吸盤付き支持具３１の吸盤３３と反対側の支持部分３２に、ＧＰＳ車載レーダー３５等の高性能機器や温度計・湿度計等のセンサーや方位磁石等の本体を嵌め込んで固定し、吸盤付き支持具３１の吸盤３３をダッシュボード等に吸着させることによって、これらのセンサー類を車内に確実に、かつ、着脱可能に固定することができる。
【００９６】
このようにして、本実施の形態４に係る粘着性吸盤付き支持具３１においては、吸盤３３が強力な吸着力を有するとともに、射出成形によって大量生産できるため、極めて安価に供給することができ、かつ、容易に製造することができる。
【００９７】
上記各実施の形態においては、粘着性マット及び粘着性吸盤付き支持具の粘着性部分を構成する合成樹脂として、スチレン系熱可塑性エラストマーを使用した場合のみについて説明したが、スチレン系熱可塑性エラストマー以外にも、粘着性及び弾性を有する合成樹脂であって容易に射出成形できるものであれば、他の合成樹脂（特に、熱可塑性エラストマー）をもちいることもできる。
【００９８】
また、上記各実施の形態においては、粘着性マットの表面側に設けられる複数個の凸部として、略半球形状または略半球形状の頂部を平坦にカットした略台形形状のもののみについて説明したが、複数個の凸部の外形はこのような円形に限られるものではなく、三角形・四角形・楕円形・多角形等の他の形状を有するものでも良い。
【００９９】
本発明を実施するに際しては、粘着性マット及び粘着性吸盤付き支持具のその他の部分の構成、形状、数量、材質、大きさ、接続関係等についても、上記各実施の形態に限定されるものではない。
【０１００】
なお、本発明の実施の形態で挙げている数値は、臨界値を示すものではなく、実施に好適な好適値を示すものであるから、上記数値を若干変更してもその実施を否定するものではない。
【図面の簡単な説明】
【０１０１】
【図１】図１（ａ）は本発明の実施の形態１に係る粘着性マットの全体構成を示す平面図、（ｂ）は（ａ）のＡ−Ａ断面図、（ｃ）は全体構成を示す斜視図である。
【図２】図２（ａ）は本発明の実施の形態１の変形例に係る粘着性マットの全体構成を示す平面図、（ｂ）は（ａ）のＢ−Ｂ断面図、（ｃ）は全体構成を示す斜視図である。
【図３】図３（ａ）は本発明の実施の形態１に係る粘着性マットを用いて自動車のダッシュボードに携帯電話機を固定した状態を示す斜視図、（ｂ）はその状態を横から見て示す側面図である。
【図４】図４（ａ）は本発明の実施の形態１の変形例に係る粘着性マットを用いたディスプレイスタンドに携帯電話機を固定した状態を示す斜視図、（ｂ）はその状態を横から見て示す側面図、（ｃ）は携帯電話機を外したディスプレイスタンドの全体構成を示す斜視図である。
【図５】図５（ａ）は本発明の実施の形態２に係る粘着性マットの全体構成を示す平面図、（ｂ）は（ａ）のＣ−Ｃ断面図である。
【図６】図６（ａ）は本発明の実施の形態２の変形例に係る粘着性マットの全体構成を示す平面図、（ｂ）は（ａ）のＤ−Ｄ断面図である。
【図７】図７（ａ）は本発明の実施の形態２に係る粘着性マットを液晶テレビの固定用に使用した状態を示す斜視図、（ｂ）は粘着性マットの使用状態を示す拡大図である。
【図８】図８（ａ）は本発明の実施の形態３に係る粘着性マットの全体構成を示す斜視図、（ｂ）は（ａ）のＥ−Ｅ断面図、（ｃ）は本発明の実施の形態３に係る粘着性マットの使用状態を示す斜視図である。
【図９】図９（ａ）は本発明の実施の形態４に係る粘着性吸盤付き支持具の全体構成を示す斜視図、（ｂ）は（ａ）のＦ−Ｆ断面図、（ｃ）は本発明の実施の形態４に係る粘着性吸盤付き支持具の使用状態を示す斜視図である。
【符号の説明】
【０１０２】
１，１Ａ，１１，１１Ａ，２１  粘着性マット
２，２Ａ，１２，１２Ａ，２２  表面
３，３Ａ，１３，１３Ａ，２３  凸部
５，１５，１５Ａ，２５  裏面
７  携帯電話機
８  ディスプレイスタンド
１６  液晶テレビ
１７  脚部
１８  テレビ台
３１  粘着性吸盤支持具
３２  支持部分
３３  吸盤                                                                           
【図１】
0005133630.tif 000002
【図２】
0005133630.tif 000003
【図３】
0005133630.tif 000004
【図４】
0005133630.tif 000005
【図５】
0005133630.tif 000006
【図６】
0005133630.tif 000007
【図７】
0005133630.tif 000008
【図８】
0005133630.tif 000009
【図９】
0005133630.tif 000010